(57)【要約】【課題】本発明は、ドライヤーの熱風を当てて毛髪を乾燥する際に、短時間で毛髪を乾燥することができ、髪を傷めない毛髪ドライヤー速乾用手袋を提供することを目的とする。【解決手段】本発明に係る毛髪ドライヤー速乾用手袋は、毛髪をドライヤーで乾燥する時に手に着用し髪をかき上げながら、ドライヤーの熱風を当てるために用いる毛髪ドライヤー速乾用手袋であって、該毛髪ドライヤー速乾用手袋は高吸湿性タオルから作製されている。【選択図】図１
2010063479.tif 000002
【特許請求の範囲】
【請求項１】
洗髪後の毛髪をドライヤーで乾燥する時に手に着用し、ドライヤーの熱風から手を守りながら、短時間のうちに髪を乾かす毛髪ドライヤー速乾用手袋であって、該毛髪ドライヤー速乾用手袋は吸水性に優れた高吸湿性タオルで作製されている毛髪ドライヤー速乾用手袋。
【請求項２】
隣接する指と指との間の指の根元に両者を離間させるためのクッション材が設けられている請求項1記載の毛髪ドライヤー速乾用手袋。
【請求項３】
指と指の間に毛髪がからまないように滑りやすくした毛髪円滑部が設けられている請求項１または２記載の毛髪ドライヤー速乾用手袋。
【請求項４】
指の延長上に延長指部が設けられている請求項１乃至３のいずれかに記載の毛髪ドライヤー速乾用手袋。
【請求項５】
洗髪後の毛髪をドライヤーで乾燥する時に手に着用し、ドライヤーの熱風から手を守りながら、短時間のうちに髪を乾かす毛髪ドライヤー速乾用手袋であって、該毛髪ドライヤー速乾用手袋は吸水性に優れた所定形状の二枚の高吸湿性タオルで作製されており、該二枚の高吸湿性タオルの間にあるいは外側に手を挿入するための側部開口部を除いて二枚の高吸湿性タオルの周縁部が縫合されており、
該開口部から二枚の高吸湿性タオルの間にあるいは外側に延びる手収容部が設けられ、手収容部の外側部は、二枚の高吸湿性タオルを縫合することによってあるいは二枚の高吸湿性タオルに縫合することによって、形成されている毛髪ドライヤー速乾用手袋。
【発明の詳細な説明】
【技術分野】
【０００１】
本発明は、洗髪後の毛髪をドライヤーで乾かす時に手に着用し、髪をかき上げながら、髪の湿気を取りかつドライヤーの熱風をかき上げた髪に当てるために用いる吸水性に優れた高吸湿性タオルの毛髪ドライヤー速乾用手袋に関するものである。本発明の毛髪ドライヤー速乾用手袋は、短髪から長髪、又女性から男性に至る幅広い層に好適に用いられる。
【背景技術】
【０００２】
従来、洗髪後ドライヤーで髪を乾かす際には、バスタオルあるいはフェースタオルで湿気を取ってから、髪を手、櫛あるいはブラシでかき上げながら髪にドライヤーの熱風を当て、乾燥を行っていた。
【０００３】
しかしながら、バスタオルあるいはフェースタオルでは十分に毛髪の湿気を取ることができないので、毛髪を乾燥させるために長時間ドライヤーの熱風を当てなければならず、その結果髪を傷める原因ともなっていた。また、手で髪をかき上げながらドライヤーの熱風を当てる場合には、手に直接熱風が当たり、手が熱せられて不快感を与えていた。
【発明の開示】
【発明が解決しようとする課題】
【０００４】
本発明は、ドライヤーの熱風を当てて毛髪を乾燥する際に、短時間で毛髪を乾燥させることができ、髪を傷めない毛髪ドライヤー速乾用手袋を提供することを目的とする。
【課題を解決するための手段】
【０００５】
本発明は、毛髪をドライヤーで乾燥させる時に手に着用し、髪をかき上げながら、ドライヤーの熱風を当てるために用いる毛髪ドライヤー速乾用手袋に関し、該毛髪ドライヤー速乾用手袋は高吸湿性タオルから作製されている毛髪ドライヤー速乾用手袋を主要な特徴とする。
【０００６】
本発明の毛髪ドライヤー速乾用手袋の好ましい実施態様としては、以下のものが挙げられる。
（１）  隣接する指と指との間の指の根元に両者を離間させるためのクッション材を設ける。このようにすることによって、隣接する指と指との間を確実に離間させることができ、髪をすき易くする。
（２）  指の側面に毛髪がからまないように毛髪を滑りやすくした毛髪円滑部を設ける。毛髪滑動円滑部を設けることにより、毛髪ドライヤー速乾用手袋を髪の中に容易に進入させる効果がある。
（３）  指の延長上に延長指部を設ける。このようにする場合には、毛髪ドライヤー速乾用手袋により、より多くの水分を吸湿除去しかつより多くの髪をかき上げることが可能となり、髪の乾燥をより短時間で行うことが可能となる。
さらに、本発明は、洗髪後の毛髪をドライヤーで乾燥する時に手に着用し、ドライヤーの熱風から手を守りながら、短時間のうちに髪を乾かす毛髪ドライヤー速乾用手袋に関し、
該毛髪ドライヤー速乾用手袋は吸水性に優れた所定形状の二枚の高吸湿性タオルで作製されており、
該二枚の高吸湿性タオルの間にあるいは外側に手を挿入するための側部開口部を除いて二枚の高吸湿性タオルの周縁部が縫合されており、
該開口部から二枚の高吸湿性タオルの間にあるいは外側に延びる手収容部が設けられ、
手収容部の外側部は、二枚の高吸湿性タオルを縫合することによってあるいは二枚の高吸湿性タオルに縫合することによって、形成されている毛髪ドライヤー速乾用手袋に関する。
【発明の効果】
【０００７】
本発明の毛髪ドライヤー速乾用手袋は、洗髪後にドライヤーの熱風を当てて毛髪を乾燥する際に用いられる。毛髪ドライヤー速乾用手袋は高吸湿性タオルから作製されているので、吸湿性に優れ、ドライヤーで乾燥させる際に、髪をかき上げて髪に残っている湿気を吸収するとともに、ドライヤーの風の通りを良くする。その結果、短時間に髪を乾燥することが可能となり、髪がドライヤーから発生する熱風や電磁波で痛むのを防止あるいは低減し、またドライヤーの熱風の熱から手を守ることができる。また、本発明の縫合毛髪ドライヤー速乾用手袋はより広い吸湿面積を有するので、髪の湿気をより効果的に吸湿する効果がある。本発明の毛髪ドライヤー速乾用手袋は、短髪から長髪、又女性から男性まで幅広く髪を乾燥する際に、好適に用いられる。
【発明を実施するための最良の形態】
【０００８】
以下に、本発明をさらに詳細に説明する。
（１）毛髪ドライヤー速乾用手袋の素材
本発明の毛髪ドライヤー速乾用手袋は、高吸湿性タオルから作製する。高吸湿性タオルとしては、市販の高吸湿性高機能タオル等を用いることができる。高吸湿性タオルは伸縮性に優れたものが好ましい。高吸湿性タオルとしては、たとえば、日清紡社製ドライファクターやテイジン社製ミクロピュアを例示できる。毛髪ドライヤー速乾用手袋の全てを高吸湿性タオルから作製しても良いし、毛髪ドライヤー速乾用手袋全体の高吸湿性が確保される限り手袋の一部は異なる素材から形成しても良い。たとえば、手の内側の一部をメッシュとして手袋中の熱を逃がすようにすることもできる。高吸湿性タオルの厚さは、素材の種類、吸湿性能、手の過熱からの保護等の観点から適当な厚さとする。たとえば、日清紡社製ドライファクターを用いた場合には、２ミリ〜４ミリの範囲の厚さとする。
【０００９】
（２）毛髪ドライヤー速乾用手袋の形状
本発明の毛髪ドライヤー速乾用手袋の形状は、図１に示す５本の指を有する手の形をした毛髪ドライヤー速乾用手袋１とすることができる。但し、５本の指を持つもののみに限定されない。手首には、抜け防止のための伸縮自在の締めリング３を設け、かつ壁等につるすつり部５を設けることもできる。本発明の毛髪ドライヤー速乾用手袋は、高吸湿性タオルの必要箇所を縫製して作製することができる。
【００１０】
また、図２に示すように、隣接する指と指との間の指の根元に両者を離間させるためのクッション材７を設けた毛髪ドライヤー速乾用手袋９とすることもできる。この場合、クッション材７としては、同一の高吸湿性タオル材を用いることもできるし、シリコーンや、髪の通りを良くする表面が滑らかな素材等の適当な素材のものを用いることができる。
【００１１】
また、図３に示すように、指の側面に毛髪の滑動を円滑とする毛髪円滑部１１を設けた毛髪ドライヤー速乾用手袋１３とすることもできる。この場合、膜状の素材を指の側面に貼り付け、あるいは縫い付けて毛髪円滑部１１を形成することができる。毛髪円滑部１１としては、シリコーンや、髪の通りを良くする表面が滑らかな素材等の適当な素材のものを用いることができる。
【００１２】
さらに、図４に示すように、指の延長上に延長指部１５−１〜１５−５を設けた毛髪ドライヤー速乾用手袋とすることができる。この場合には、髪をよりすくい易くする効果を有する。また、延長指部１５−１〜１５−５を同様な高吸湿性素材で形成する場合には、毛髪ドライヤー速乾用手袋の吸湿性はさらに高まる。また、延長指部が折れ曲がるのを防止するため、適当な補強材を入れることもできる。たとえば、延長部分を中実構造とし、手袋の甲部分から延長指部及び指の内側から延長指部に伸びる比較的剛性のある線材等を補強材と延設して折れ曲がり防止をすることができる。延長部の長さは、髪をよりすくいやすくし、かつ折れ曲がるのを防止する観点から適当な長さとすることができる。たとえば、各指の長さの１／３〜１倍の長さとすることができる。
【００１３】
（３）縫合毛髪ドライヤー速乾用手袋
本発明の縫合毛髪ドライヤー速乾用手袋の実施態様を図５と図６に示す。
図５に本発明の一実施態様の矩形の縫合毛髪ドライヤー速乾用手袋１９を示す。毛髪ドライヤー速乾用手袋は吸水性に優れた所定形状の二枚の高吸湿性タオル２１−１，２１−２で作製されており、該二枚の高吸湿性タオルの間に手を挿入するための側部開口部２３を除いて、二枚の高吸湿性タオルの周縁部２５が縫合されており、該開口部２３から二枚の高吸湿性タオル２１−１，２１−２の間に延びる手収容部２７が設けられ、手収容部２７の外側部２９は二枚の高吸湿性タオルを縫合することによって形成されている。「所定形状の二枚の高吸湿性タオル２１−１，２１−２」とは、所定形状の高吸湿性タオル２１−１、２１−２が連なった一枚の高吸湿性タオルからなり、それを折り重ねて一端部で繋がった二枚の高吸湿性タオル２１−１，２１−２としたものであっても良い。また、「二枚」とは、少なくとも「二枚」という意味で、それ以上の枚数も含む。さらに、手収容部を二枚の高吸湿性タオルの外側面に設けることもできる。その場合には、手収容部を高吸湿性タオルあるいは他の材料から形成することがきる。
【００１４】
図６に本発明のさらに別の実施態様の略円形の縫合毛髪ドライヤー速乾用手袋３１を示す。図５に示す実施態様と同一あるいは類似の部分は同一の符号を付けて、その説明を省く。
【００１５】
縫合毛髪ドライヤー速乾用手袋において、「所定形状」とは正方形、長方形、円形、楕円形、不定形等の形で、手を入れた縫合毛髪ドライヤー速乾用手袋を用いながら髪にドライヤーの熱風を当てて乾燥する際に縫合毛髪ドライヤー速乾用手袋を適切に操作できる程度の寸法を有するということを意味する。吸湿性タオルとしては上記のものを用いることができる。また、手収容部の形状は図５、図６に示す形状には限定されない。例えば、親指を除いた４本の指を一つの凹部に収容することもできる。また、本発明の縫合毛髪ドライヤー速乾用手袋の所定形状を維持するため線材等の補強材を入れることも可能である。本発明の縫合毛髪ドライヤー速乾用手袋はより広い吸湿面積を有するので、髪の湿気をより効果的に吸湿する効果がある。
【００１６】
以上、本発明を具体的実施態様に基づいて説明してきたが、本発明はこれらのものに限定されず、種々の変更、修正を加えることができる。例えば、図１乃至図４に示す毛髪ドライヤー速乾用手袋の親指部分に親指に沿って伸びるブラシを取り付けることもできる。このようにすることによって、ドライヤー使用時に毛髪ドライヤー速乾用手袋により髪をかき上げ吸湿により髪を乾燥させるとともに、髪にウエーブをつける等の処理を行うことができる。
【図面の簡単な説明】
【００１７】
【図１】本発明に係る毛髪ドライヤー速乾用手袋の第１の実施態様の斜視図である。
【図２】本発明に係る毛髪ドライヤー速乾用手袋の第２の実施態様の斜視図である。
【図３】本発明に係る毛髪ドライヤー速乾用手袋の第３の実施態様の斜視図である。
【図４】本発明に係る毛髪ドライヤー速乾用手袋の第４の実施態様の斜視図である。
【図５】本発明に係る毛髪ドライヤー速乾用手袋の第５の実施態様の斜視図である。
【図６】本発明に係る毛髪ドライヤー速乾用手袋の第６の実施態様の斜視図である。
【符号の説明】
【００１８】
１    毛髪ドライヤー速乾用手袋（第１の実施態様）
３    締めリング
５    つり部
７    クッション材
９    毛髪ドライヤー速乾用手袋（第２の実施態様）
１１  毛髪滑動円滑部
１３  毛髪ドライヤー速乾用手袋（第３の実施態様）
１５−１〜１５−５  延長指部１５−１〜１５−５
１７  毛髪ドライヤー速乾用手袋（第４の実施態様）
１９  毛髪ドライヤー速乾用手袋（第５の実施態様）
２１−１，２１−２  所定形状の二枚の高吸湿性タオル
２３  側部開口部２３
２５  高吸湿性タオルの周縁部
２７  手収容部
２９  手収容部の外側部
３１  毛髪ドライヤー速乾用手袋（第６の実施態様）
【図１】
2010063479.tif 000003
【図２】
2010063479.tif 000004
【図３】
2010063479.tif 000005
【図４】
2010063479.tif 000006
【図５】
2010063479.tif 000007
【図６】
2010063479.tif 000008